(57)【特許請求の範囲】
【請求項１】
表示一体型タブレットの画面への直接操作によって得られた座標信号から、画面上に表示されている文字表示領域上でのカーソル移動および領域指定の処理命令、ならびに同一画面上に表示されている複数の各キーに定義された処理命令を認識する命令認識方法であって、
各キーには１つの処理命令が定義されるとともに、これらのキーは、該処理命令毎に画面への押圧操作タイミングにのみ有効とするキーと、押圧解除操作タイミングにのみ有効とするキーとから構成され、
画面への直接操作によって出力される座標信号を監視するとともに、押圧操作か押圧解除操作かを判断し、
前記画面への直接操作が文字表示領域である場合は、前記出力される座標信号から押圧操作タイミングの位置を計算して、当該位置にカーソルを移動させるカーソル移動命令を出力するとともに、押圧操作から押圧解除操作までの間の位置を領域とする領域指定命令を出力し、
前記画面への直接操作がキーである場合は、前記出力される座標信号の画面位置に相当するキーの操作が有効となる前記タイミングと、前記押圧操作または前記押圧解除操作の判断が一致したときに当該キーに定義された処理命令を出力し、
前記処理命令に応じた処理を実行することを特徴とする命令認識方法。
【請求項２】
前記文字表示領域への直接操作により新たに座標信号が得られたときに、当該座標信号と画面に表示されているカーソル位置とを比較し、
一致しない場合は、当該座標位置に相当する位置にカーソルを移動させる命令を出力し、
一致する場合は、カーソル位置から押圧解除操作される位置までの間を領域とする領域指定命令を出力することを特徴とする請求項１記載の命令認識方法。
【請求項３】
画面への直接操作によって座標信号を出力する表示一体型タブレットと、
前記表示一体型タブレットの画面に表示される文字表示領域およびキーへの押圧操作と押圧解除操作によって複数の処理命令を実行する制御手段とを有しており、
前記制御手段は、請求項１または２記載の命令認識方法のいずれかを用いて、前記表示一体型タブレットの画面に表示されたキーまたはカーソルに定義された処理命令を実行することを特徴とするデータ処理装置。
【発明の詳細な説明】
【０００１】
【発明の属する技術分野】
本発明は、ワードプロセッサなどの命令認識方法およびその命令認識方法を用いたデータ処理装置に関する。
【０００２】
【従来の技術】
図１７は従来例のワードプロセッサ１の電気的構成を示すブロック図であり、図１８はワードプロセッサ１の系統図である。ワードプロセッサ１内部の制御を行う中央処理装置（以下、ＣＰＵと記す）２に、たとえばマウスなど後述する表示画面１０内のカーソル１６の位置指定を行う位置指定装置３、文字や命令などが入力されるキーボードなどの入力装置４、入力して加工された文字などが記憶される文章バッファ５、位置指定装置３によって指定されたカーソル１６の位置を保持するカーソルポインタ６および液晶表示装置や陰極線管（以下、ＣＲＴと記す）で実現される表示装置７が接続されている。
【０００３】
たとえばワードプロセッサ１は、図１８に示されるように表示画面１０を有する表示装置７に、カーソルキー４ａおよび実行キー４ｂを有するキーボードである入力装置４および入力装置４を介して位置指定装置３が接続されている。図１８では、位置指定装置３として複数のボタン８ａを有する入力装置４に接続されたマウス８と、マウス８の下に敷くマウスパッド９とが設けられている。
【０００４】
マウス８をマウスパッド９上で移動させると、マウス８内のボールが回転して回転したＸ，Ｙ軸方向の移動量を、マウス８はＣＰＵ２に出力する。ＣＰＵ２は、Ｘ，Ｙ軸方向の移動量を、カーソルポインタ６に記憶されている現在位置、すなわち表示画面１０上に表示されているカーソル１６の現在位置に加算し、カーソルポインタ６を更新する。またＣＰＵ２は、現在位置のカーソル１６を消し、更新された新しいカーソルポインタ６の示す位置にカーソル１６を移動する。
【０００５】
表示画面１０の下部には、第１ファンクションキー１１、第２ファンクションキー１２、第３ファンクションキー１３、後退キー１４および一字抹消キー１５が表示されている。これらのキー１１〜１５に対応する命令は、たとえばキー入力装置４のカーソルキー４ａおよび実行キー４ｂや、マウス８を用いて指定される。操作者がカーソルキー４ａやマウス８を用いてカーソル１６を第１〜第３ファンクションキー１１〜１３、後退キー１４あるいは一字抹消キー１５上に移動させ、実行キー４ｂを押圧するか、マウス８のボタン８ａを押圧していずれかの命令を指定すれば、ＣＰＵ２が指定されたキーに対応する命令を実行する。
【０００６】
【発明が解決しようとする課題】
表示装置７の表示画面１０上に表示されているカーソル１６を移動したり、カーソル１６を移動させて第１〜第３ファンクションキー１１〜１３、後退キー１４および一字抹消キー１５を指定する際、カーソルキー４ａやマウス８を用いると、表示画面１０上で現在位置から希望位置まで順次カーソルの移動を行わなければならない。このためカーソル１６の移動に長時間必要であり、ワードプロセッサ１の使用性が低いという問題がある。
【０００７】
表示装置７がＣＲＴである場合には、ライトペンで表示画面から放出される光を検出し、位置を指定する装置がある。しかしながらＣＲＴとは違う原理で表示が行われる液晶表示装置が表示装置７として用いられている場合には、ライトペンを用いて位置指定を行うことができないという問題がある。
【０００８】
本発明の目的は、前述の問題を解決し、表示手段の種類に関係なく使用性が向上する命令認識方法およびその命令認識方法を用いたデータ処理装置を提供することである。
【０００９】
【課題を解決するための手段】
本発明は、表示一体型タブレットの画面への直接操作によって得られた座標信号から、画面上に表示されている文字表示領域上でのカーソル移動および領域指定の処理命令、ならびに同一画面上に表示されている複数の各キーに定義された処理命令を認識する命令認識方法であって、
各キーには１つの処理命令が定義されるとともに、これらのキーは、該処理命令毎に画面への押圧操作タイミングにのみ有効とするキーと、押圧解除操作タイミングにのみ有効とするキーとから構成され、
画面への直接操作によって出力される座標信号を監視するとともに、押圧操作か押圧解除操作かを判断し、
前記画面への直接操作が文字表示領域である場合は、前記出力される座標信号から押圧操作タイミングの位置を計算して、当該位置にカーソルを移動させるカーソル移動命令を出力するとともに、押圧操作から押圧解除操作までの間の位置を領域とする領域指定命令を出力し、
前記画面への直接操作がキーである場合は、前記出力される座標信号の画面位置に相当するキーの操作が有効となる前記タイミングと、前記押圧操作または前記押圧解除操作の判断が一致したときに当該キーに定義された処理命令を出力し、
前記処理命令に応じた処理を実行することを特徴とする命令認識方法である。
【００１０】
また本発明は、前記文字表示領域への直接操作により新たに座標信号が得られたときに、当該座標信号と画面に表示されているカーソル位置とを比較し、
一致しない場合は、当該座標位置に相当する位置にカーソルを移動させる命令を出力し、
一致する場合は、カーソル位置から押圧解除操作される位置までの間を領域とする領域指定命令を出力することを特徴とする。
【００１１】
また本発明は、画面への直接操作によって座標信号を出力する表示一体型タブレットと、
前記表示一体型タブレットの画面に表示される文字表示領域およびキーへの押圧操作と押圧解除操作によって複数の処理命令を実行する制御手段とを有しており、
前記制御手段は、請求項１または２記載の命令認識方法のいずれかを用いて、前記表示一体型タブレットの画面に表示されたキーまたはカーソルに定義された処理命令を実行することを特徴とするデータ処理装置である。
【００１２】
（作用）
本発明に従えば、表示一体型タブレットの一画面に、文字表示領域と複数のキーとが表示され、各キーには１つの処理命令が定義されるとともに、これらのキーは、該処理命令毎に画面への押圧操作タイミングにのみ有効とするキーと、押圧解除操作タイミングにのみ有効とするキーとから構成されており、画面への直接操作によって出力される座標信号を監視するとともに、押圧操作か押圧解除操作かを判別し、文字表示領域における画面への直接操作であれば、押圧操作タイミングの位置を計算して、カーソルをその位置に移動させるカーソル移動命令を出力し、また押圧操作から押圧解除操作までの位置を領域とする領域指定命令を出力する。画面に表示されたキーへの直接操作であれば、キーに定義された有効タイミング、すなわちそのキーの直接操作が有効となる押圧操作タイミングのみ、または押圧解除操作タイミングのみであることと、押圧操作または押圧解除操作の前記判断が一致したとき、そのキーに定義された処理命令を出力し、処理命令に応じた処理を実行する。したがって各キーの処理内容毎に押圧操作タイミングに処理命令を実行させるか、押圧解除操作タイミングに処理命令を実行させることができ、データ処理の操作性が向上する。こうして一画面内における文字表示領域の直接操作によって、カーソル移動と領域指定の処理命令を入力可能とし、その前またはその後に、前記画面内のキーの直接操作によって処理命令を入力可能とする。
【００１３】
また、本発明に従えば、表示一体型タブレットの画面における座標信号が表す座標位置と、画面に表示されているカーソルの位置とを比較することによって、一致しない場合は、カーソルを移動させる命令を出力し、一致する場合は、カーソル位置から押圧解除操作される位置までの間を領域とする領域指定命令を出力して実行することができ、データ処理の操作性が向上する。
【００１４】
また、本発明に従えば、表示一体型タブレットは、画面への直接操作によって座標信号を出力し、画面には、文字表示領域と複数のキーとが表示され、制御手段は、画面への直接操作が押圧操作か押圧解除操作かを判断し、前述の命令認識方法によって、カーソル移動および領域指定ならびにキー入力の各処理命令を実行し、これによってデータ処理装置の操作性が向上する。
【００１５】
【発明の実施の形態】
図１は本発明の一実施例であるワードプロセッサ２１の電気的構成を示すブロック図であり、図２はワードプロセッサ２１の系統図である。ワードプロセッサ２１内部の制御を行う中央処理装置（以下、ＣＰＵと記す）２２には、後述する表示画面３０上の任意の位置を指定する位置指定装置２８、文字や命令などが入力されるキーボードなどの入力装置２３、入力して加工された文字などが記憶される文章バッファ２４、位置指定装置２８によって指定されたカーソル３６の位置を保持するカーソルポインタ２５、位置指定装置２８によって指定された表示画面３０上の位置を検知する位置検知装置２７、メカスイッチであるスイッチ２９およびたとえば液晶表示装置で実現される表示装置２６が接続されている。表示装置２６には位置検知装置２７が接続されている。
【００１６】
たとえばワードプロセッサ２１は、図２に示されるように表示画面３０を有する表示装置２６にカーソルキー２３ａおよび実行キー２３ｂを有するキーボードである入力装置２３が接続されているとともに、位置指定装置２８であるスイッチ２９を含んだペン５０が入力装置２３を介して接続されている。ペン５０は、先端を表示画面３０上などに押圧するとスイッチ２９がオンになり、押圧を解除するとスイッチ２９がオフになる。表示画面３０上にはカーソル３６が表示されているとともに、表示画面３０の下部に第１ファンクションキー３１、第２ファンクションキー３２、第３ファンクションキー３３、後退キー３４および一字抹消キー３５が表示されている。
【００１７】
カーソル３６の移動は、入力装置２４のカーソルキー２３ａを用いて行うか、表示画面３０上のカーソル３６を移動したい位置をペン５０の先端で押圧することによって行われる。また表示画面３０下部に設けられている第１〜第３ファンクションキー３１〜３３、後退キー３４および一字抹消キー３５に対応する命令を実行する際には、入力装置２４のカーソルキー２３ａで命令の実行を行うキー３１〜３５上にカーソルを移動させて実行キーを押圧するか、ペン５０で命令を実行させるキー３１〜３５上を押圧することによって行われる。
【００１８】
図３は図１および図２に示される表示装置２６の表示画面３０の断面図であり、図４は図３に示される電極６１，６２の平面図である。表示画面３０は表示手段である液晶表示装置５１の表面に、位置検出装置２７である透明なタブレット５２を配置して構成されている。液晶表示装置５１は、帯状の透明電極５５，５６が互いに平行するように形成された透明なガラスなどから成る一対の基板５３，５４が、電極５５，５６が相互に直交するように対向され、液晶５７を介して接着剤５８によって貼り合わせられている。
【００１９】
液晶表示装置５１上に設けられるタブレット５２は、帯状の透明電極６１，６２が互いに平行するように形成された透明な樹脂などから成る一対の基板５９，６０が、電極６１，６２が相互に直交するように対向され、電極６１，６２が接触しないように接着剤５８によって貼り合わせられている。
【００２０】
図３に示されるように、ペン５０を用いてカーソルの移動やキー３１〜３５の実行を行う際には、タブレット５２上にペン５０の先端が押圧される。
【００２１】
図４に示されるように、タブレット５２の帯状の電極６１，６２は、互いに直交するように配列されており、図４の上から下にかけて電極６１にはＹ１〜Ｙ５、図４の左から右にかけて電極６２にはＸ１〜Ｘ６の番号をそれぞれの電極６１，６２に添付する。たとえばペン５０が、電極６１のＹ２、電極６２のＸ４上である斜線で示す領域５０ａ上に押圧されるとする。タブレット５２は、Ｙ１〜Ｙ５にかけて電極６１に対し電圧を順次印加するとともに、電極６２のＸ１〜Ｘ６にかけて電圧を順次印加する。これらの電圧の印加タイミングとしては、たとえば電極６１のＹ１に電圧を印加した際に電極６２のＸ１〜Ｘ６に電圧を順次印加し、全電極６２に対し電圧の印加が終了すれば次にＹ２に電圧を印加し、電極６２のＸ１〜Ｘ６まで電圧を順次印加するという走査が繰返される。領域５０ａで交差している電極６１のＹ２と電極６２のＸ４とのいずれか一方に電圧が印加されると、ペン５０の先端部分の電極には電荷を帯びることが知られている。ペン５０の電荷量をＣＰＵ２２が検知しており、電荷量が高くなったときにどの電極６１，６２に対して電圧を印加しているかをＣＰＵ２２が検知することによって、表示画面３０上のどの位置が示されているかを検知することができる。
【００２２】
図５は、表示画面３０に対応する座標を説明する図である。表示画面３０にはＸ軸およびＹ軸に沿ってそれぞれ座標が定められている。たとえばＸ軸としては０〜６４０まで、Ｙ軸は０〜４００までの座標がそれぞれ設定されている。表示画面３０上の点Ａをペン５０で押圧すると、Ｘ軸座標は２００、Ｙ軸座標は１８０であるということが検知される。
【００２３】
図６は、ペン５０によって押圧された座標からカーソル領域の設定を説明する図である。図６（１）に示されるように、表示画面３０上の点Ｂである座標（Ｘ１，Ｙ１）をペン５０で押圧すると、ＣＰＵ２２は、図６（２）に示される表示画面３０に表示している全ての文字のうち、点Ｂが示している文字がどのような位置にあるかを判断し、Ｘ軸方向のカーソル領域はＸ座標Ｘ２〜Ｘ３であり、Ｙ軸方向のカーソル領域はＹ座標Ｙ２〜Ｙ３であることを表示されている文字の大きさや文字の間隔などから求め、Ｘ座標Ｘ２〜Ｘ３の領域とＹ座標Ｙ２〜Ｙ３の領域にカーソル領域を設定し、カーソル３６を表示する。
【００２４】
図７は、ペン５０によって押圧された位置に４倍角の文字が表示されている場合のカーソル領域の設定を説明する図である。図７（１）に示されるように、座標（Ｘ４，Ｙ４）である表示画面３０上の点Ｃをペン５０で押圧した場合、点Ｃ位置には４倍角の文字が表示されている。ＣＰＵ２２は、表示されている文字がどの位の大きさであるか、また他の数字に対してどのような位置にあるかを表示されている大きさやそれらの間隔を用いて判断し、図７（２）に示されるようにＸ軸方向にはＸ座標Ｘ５〜Ｘ６、Ｙ軸方向にはＹ座標Ｙ５〜Ｙ６のカーソル領域を設定し、カーソル３６を表示する。
【００２５】
図８は、処理タイミング設定ウインドウ３７を示す図である。第１〜第３ファンクションキー３１〜３３を用いて、図８に示す処理タイミング設定ウインドウ３７を呼出すことができる。処理タイミングは、ペン５０を表示画面３０に押圧して、スイッチ２９がオン状態になった位置にカーソル移動などの処理を行うか、それともペン５０の表示画面３０の押圧を解除して、スイッチ２９がオフ状態に戻ったときにカーソル３６の移動などの処理を行うかを選択することができる。図８では、「ペンダウン」と「ペンアップ」が表示されており、ペンダウンの左側に「＞」の記号が表示され、ペン５０を表示画面３０に押圧した時点でその位置を設定することが示されている。
【００２６】
図９は、表示画面３０におけるペン５０の押圧位置である点Ｄと、押圧解除位置である点Ｅとが異なる場合を説明する図である。図９（１）に示されるように、ペン５０をまず点Ｄである座標（Ｘ７，Ｙ７）に押圧し、押圧が解除される際には図９（２）に示されるようにペン５０が点Ｅである座標（Ｘ８，Ｙ７）を示すことがある。
【００２７】
図１０は、ペン５０の押圧位置にカーソル３６を移動する場合を説明する図である。図９（１）に示されるように点Ｄ上をペン５０で押圧すると、図１０（１）に示されるように、点Ｄである座標（Ｘ７，Ｙ７）が含まれる位置に表示されている文字「２」にカーソル３６の移動が行われ、図９（２）に示されるように、点Ｄとは異なる点Ｅにおいてペン５０の押圧が解除されても、この場合にはペン５０を押圧した位置にカーソルが移動するように設定されているため、点Ｅにカーソルは移動せず、カーソル３６は図１０（２）に示されるように、点Ｄを含む文字上に固定される。
【００２８】
図１１は、ペン５０の押圧を解除した位置にカーソルを移動させる設定を行った場合を説明する図である。図９（１）に示されるように、点Ｄ上をペン５０で押圧すると、図１１（１）に示されるように、ペン５０の押圧位置である点Ｄである座標（Ｘ７，Ｙ７）を含む文字「２」上にカーソル３６が移動する。図９（２）に示されるように点Ｄとは異なる点Ｅにおいてペン５０の押圧が解除されると、図１１（２）に示されるようにペン５０の押圧解除位置である点Ｅである座標（Ｘ８，Ｙ７）が含まれる文字「３」位置にカーソル３６が移動する。
【００２９】
図１２は、領域指定を行う工程を説明する図である。図１２（１）に示されるように、座標（Ｘ７，Ｙ７）を含む位置にカーソル３６が位置している場合に、カーソル３６上をペン５０によって押圧すると、領域指定の命令が実行される。このため図１２（２）に示されるように、ペン５０が座標（Ｘ８，Ｙ７）に移動した場合には、図１２（１）に示すカーソルを表示したまま、ペン５０が移動する位置全てにカーソル３６の表示が行われる。
【００３０】
領域指定は領域を指定した部分を移動させたり、複写を行ったりする際に用いられる。このためどのような命令を実行するかは、キーボード２３や、第１〜第３ファンクションキー３２〜３４を用いて入力する必要がある。領域指定は、命令を入力した後に行ってもよいし、領域指定を行ってから命令を入力してもよい。
【００３１】
図１３は、表示画面３０上に表示される表示文字のドット数を比較する図である。図１３（１）には１６ドット表示文字３８が表示されており、図１３（２）には１２ドット表示文字３９が表示されており、図１３（３）には８ドット表示文字４０が表示されている。表示を行う文字のドット数が、小さくなる程、表示が行われる文字は小さくなり、これに対してドット数が大きくなれば表示文字は大きくなる。
【００３２】
図１４は、ポイント禁止ドット設定ウインド４１を示す図である。禁止ドット設定ウインド４１は、前述の第１〜第３ファンクションキー３１〜３３を選択することによって呼出すことができる。ポイント禁止とは、ペン５０の押圧／解除によるカーソルの移動などを禁止することを意味している。
【００３３】
図１４では「１６ドット」、「１２ドット」、「８ドット」の３種類のドット数を示す表示が行われており、１６ドットの表示の左側には「・」が表示されており、１２ドットおよび８ドットの左側には「＊」が表示されている。「・」はポイント（押圧指定）を行うことができるドット数であり、これに対し「＊」はポイントが禁止されることが示されている。このため１６ドットではポイントをすることが可能であり、１２および８ドットではポイントが禁止される。
【００３４】
これは文字が小さくなるに伴い、ペン５０の先端で文字を正確に選択することが困難になるために設けられている設定であり、操作者は任意にどの大きさによってペン５０の押圧による指示が行うことができるかを選択することができる。ポイント禁止が指定されているドット数に対しては、キーボード２３のカーソルキー２３ａを用いて、カーソル３６の移動を行えばよい。
【００３５】
図１５は、本発明の一実施例の動作を説明するフローチャートの一例である。図１５に示されるフローチャートは、ペン５０が有しているスイッチ２９の状態がオンからオフあるいはオフからオンに変化した場合、あるいはペン５０が押圧している座標が変化した場合に実行される。ステップｓ１ではペン５０が押圧している座標が取込まれる。装置的（装置特有の誤差など）に座標の補正が必要である場合には、座標の補正を行う。ステップｓ２ではスイッチ２９がオンであるかオフであるかによってペンのアップ／ダウンの状態が取込まれ、ステップｓ３では、取込まれた座標位置に表示されている表示文字のドット数が取込まれる。
【００３６】
ステップｓ４では、ステップｓ３によって取込まれた表示ドット数がペンポイントすることができるか否かが判断され、ペンポイントが禁止されている場合にはステップｓ５で警報が出力された後に操作を終了し、ペンポイントが行える場合にはステップｓ６に進む。
【００３７】
ステップｓ６ではステップｓ２で検知した際に、ペンがアップであったか否かが判断される。ペンがアップであった場合にはステップｓ７に進み、ペンがダウンであった場合にはステップｓ８に進む。
【００３８】
ステップｓ７では、ペンアップで処理実行か否かが判断され、ペンダウンで処理実行の場合には操作を終了し、ペンアップで処理実行の場合にはステップｓ９に進む。
【００３９】
ステップｓ８ではペンダウンで処理実行か否かが判断され、ペンダウンで処理実行の場合にはステップｓ９に進み、ペンアップで処理実行の場合にはステップｓ１１に進む。
【００４０】
ステップｓ９では、ステップｓ１で取込まれた座標がファンクションキー３１〜３３を示しているか否かが判断され、ファンクションキー３１〜３３を示している場合には対応するファンクション処理が行われ、示していない場合にはステップｓ１０において後退キーおよび一字抹消キーが示されているかどうかが判断され、示されている場合には後退処理および一字抹消処理が行われ、示されていない場合にはステップｓ１１に進む。
【００４１】
ステップｓ１１では文字位置の計算が行われ、表示すべきカーソル３６の表示位置が計算される。ステップｓ１２では、ステップｓ１１で計算されたカーソル３６の座標位置が現在のカーソル位置と一致するか否かが判断され、一致しない場合にはステップｓ１３に進みカーソル移動が行われた後に操作を終了し、カーソル位置が一致する場合にはステップｓ１４に進む。
【００４２】
ステップｓ１４では、ドラッグであるか否かが判断される。ドラッグとは、ステップｓ２で行われたペンのアップ／ダウンの取込みがダウンであり、前回このフローチャートの動作を行った際にもダウンであったことを意味しており、続けてペンダウンであった場合にはステップｓ１３を介して操作を終了し、いずれもダウンでなかった場合あるいは前回と状態が異なっている場合にはステップｓ１５で領域指定を行った後操作を終了する。
【００４３】
図１６は、処理タイミング個別設定ウインドウ４２を示す図である。処理タイミング個別設定ウインドウ４２は、第１〜第３ファンクションキー３１〜３３を指定することによって呼出すことができる。図１６では、カーソル移動がダウン、一字抹消がアップ、後退がアップ、ファンクションがダウンであることが示されている。
【００４４】
図８で説明した処理タイミング設定ウインドウ３７では、全ての処理に共通してペンダウンで処理を行うかペンアップで処理を行うかが設定されているのに対し、図１６に示される処理タイミング個別設定ウインドウ４２では、それぞれの操作を個別にペンのダウンで処理を行うかアップで処理を行うかを選択することができる。一字抹消や後退などの処理はこれらの処理を行うことによって表示画面３０に表示されている表示が消去されるため、ダウン位置を間違えた場合には違った場所が消去されるため、アップ位置において消去を行うというような設定をするなど、それぞれの処理に応じたタイミングの設定を行うこともまた可能である。
【００４５】
以上のように本実施例によれば、ペン５０を用いて表示画面３０を押圧するだけでカーソル３６の移動位置、領域指定開始位置およびキー３１〜３５の指定を即座に行うことができるため、ワードプロセッサ２１の操作性が向上する。
【００４６】
また本実施例では、ペン５０を用いて行うカーソル３６の移動をペンアップで処理するように設定すれば、ペン５０で押圧している文字表示領域をカーソル３６がペン５０とともに移動するため、ペン５０を押圧する位置の視差を排除することができる。また、表示装置２６を液晶表示装置５１を用いて構成したけれどもこれには限られず、陰極線管など、どのような表示方式にも対応することができる。
【００４７】
【発明の効果】
本発明に従えば、一画面内に文字表示領域と複数のキーとが表示され、この画面への直接操作によって文字表示領域ではカーソル移動および領域指定の処理命令が出力され、またキーの直接操作によって、各キーに定義された押圧操作タイミングにのみ、または押圧解除操作タイミングにのみ有効に、そのキーに定義された処理命令を出力するので、データ処理の操作性が向上する。
【００４８】
また、本発明に従えば、文字表示領域への直接操作された座標信号がカーソル位置と一致しない場合は、カーソルを移動させる命令を出力し、一致する場合は、領域指定命令を出力するので、データ処理の操作性が向上する。
【００４９】
また、本発明に従えば、表示一体型タブレットの画面に表示された文字表示領域と複数のキーとの直接操作によって、カーソル移動命令および領域指定命令を実行することができ、またキーに定義された処理命令を実行することができ、データ処理装置の操作性が向上する。
【図面の簡単な説明】
【図１】本発明の一実施例であるワードプロセッサ２１の電気的構成を示すブロック図である。
【図２】本発明の一実施例であるワードプロセッサ２１の系統図である。
【図３】表示装置３０の断面を示す図である。
【図４】図３に示される電極６１，６２の平面図である。
【図５】表示画面３０に対応する座標を説明する図である。
【図６】本発明のカーソル３６領域の設定を説明する図である。
【図７】ペン５０が指定する文字が４倍角である場合のカーソル３６領域の設定を説明する図である。
【図８】処理タイミング設定ウインドウ３７を示す図である。
【図９】ペン５０による押圧位置点Ｄとペン５０の押圧解除位置点Ｅとが異なる場合を説明する図である。
【図１０】ペンダウンでカーソル移動を行う場合を説明する図である。
【図１１】ペンアップでカーソル移動を行う場合を説明する図である。
【図１２】領域指定を行う場合を説明する図である。
【図１３】表示ドットを説明する図である。
【図１４】禁止ドット設定ウインド４１を示す図である。
【図１５】本発明の一実施例の動作を説明するフローチャートの一例である。
【図１６】処理タイミング個別設定ウインドウ４２を示す図である。
【図１７】従来例のワードプロセッサ１の電気的構成を示すブロック図である。
【図１８】従来例のワードプロセッサ１の系統図である。
【符号の説明】
２１    ワードプロセッサ
２２    中央処理装置
２７    位置検知装置
２８    位置指定装置
２９    スイッチ
５１    液晶表示装置
５２    タブレット
【図１】
0003634770.tif 000002
【図２】
0003634770.tif 000003
【図３】
0003634770.tif 000004
【図４】
0003634770.tif 000005
【図５】
0003634770.tif 000006
【図６】
0003634770.tif 000007
【図７】
0003634770.tif 000008
【図８】
0003634770.tif 000009
【図９】
0003634770.tif 000010
【図１０】
0003634770.tif 000011
【図１１】
0003634770.tif 000012
【図１２】
0003634770.tif 000013
【図１３】
0003634770.tif 000014
【図１４】
0003634770.tif 000015
【図１５】
0003634770.tif 000016
【図１６】
0003634770.tif 000017
【図１７】
0003634770.tif 000018
【図１８】
0003634770.tif 000019